【手続補正書】
【提出日】平成27年3月2日(2015.3.2)
【手続補正１】
【補正対象書類名】特許請求の範囲
【補正対象項目名】全文
【補正方法】変更
【補正の内容】
【特許請求の範囲】
【請求項１】
ａ）それぞれが、少なくとも１枚のイオン透過膜と複数の陽極と複数の陰極とを含み、前記陽極と前記陰極は、各陽極が陰極に対して膜の反対側に位置付けられるように対で配置されている、少なくとも２枚の燃料電池ボードと、
ｂ）隣接する燃料電池ボード間に配置され、各陽極に酸化性ガスを供給し各陰極に還元性ガスを供給するガス流チャネルと、
ｃ）同じ燃料電池ボード上の陽極と陰極の隣接する対を接続する電気コネクタと、を備え、
各燃料電池ボードは、１つのボード上の前記陽極と陰極が隣接するボード上の陽極と陰極と（それぞれ）反対に位置付けられていることを特徴とする燃料電池。
【請求項２】
前記電気コネクタは、
ｉ）前記膜内に位置付けられた少なくとも１つの導電性領域を含む膜貫通接続、あるいは
ｉｉ）プリント回路基板によって提供される外部接続
から構成されることを特徴とする請求項１に記載の燃料電池。
【請求項３】
少なくとも３枚の燃料電池ボードを備えることを特徴とする請求項１または請求項２に記載の燃料電池。
【請求項４】
各燃料電池ボードは、
ａ）膜の第１面上の少なくとも２個の陽極と、前記膜の第２面上の少なくとも２個の陰極とを支持する１枚のイオン透過膜、あるいは
ｂ）それぞれが、膜の第１面上の１個の陽極と前記膜の第２面上の１個の陰極とを支持する少なくとも２枚のイオン透過膜を含むことを特徴とする請求項１乃至請求項３のいずれかに記載の燃料電池。
【請求項５】
各燃料電池ボードは、
ａ）膜の第１面上の少なくとも３個の陽極と、前記膜の第２面上の少なくとも３個の陰極とを支持する１枚のイオン透過膜、あるいは
ｂ）それぞれが、膜の第１面上の１個の陽極と前記膜の第２面上の１個の陰極とを支持する少なくとも３枚のイオン透過膜を含むことを特徴とする請求項１乃至請求項４のいずれかに記載の燃料電池。
【請求項６】
隣接する電極対の接続された電極は部分的に重なっていることを特徴とする請求項１乃至請求項５のいずれかに記載の燃料電池。
【請求項７】
前記燃料電池ボードの前記膜は、多層プリント回路基板（ＰＣＢ）に接合され、
前記プリント回路基板（ＰＣＢ）は、
ａ）第１電流収集・分配層と、反応物質分配層と、第２電流収集・分配層と、
ｂ）反応物質分配層で分離された第１および第２電流収集層または
ｃ）反応物質分配層で分離された第１および第２電流分配層と、を含み、
個々の層は互いに接合されて単一のプリント回路基板を形成することを特徴とする請求項１乃至請求項５のいずれかに記載の燃料電池。
【請求項８】
各ＰＣＢの各層は、前記燃料電池ボードのスタッキング時に、位置が一致して、前記燃料電池内を通って前記燃料電池ボードの平らな表面に実質的に垂直に走る導管を形成する孔を有することを特徴とする請求項１乃至請求項７のいずれかに記載の燃料電池。
【請求項９】
前記導管は、反応物質用または冷却剤用の入口または出口チャネルとして働くことを特徴とする請求項８に記載の燃料電池。
【請求項１０】
プリント回路基板は、
ａ）第１電流収集・分配層と、反応物質分配層と、第２電流収集・分配層と、
ｂ）反応物質分配層で分離された第１および第２電流収集層または
ｃ）反応物質分配層で分離された第１および第２電流分配層と、を含み、
個々の層は互いに接合されて単一のプリント回路基板を形成することを特徴とする多層プリント回路基板。
【請求項１１】
前記電流収集・分配層は、燃料電池ボード上の電極を電気的直列に接続するために、第１電極対の陽極を隣接する電極対の陰極にリンクさせる電気分配トラックのパネルを保持するフレームを含むことを特徴とする請求項１０に記載の多層プリント回路基板。
【請求項１２】
前記電流収集・分配層は、複数の燃料電池ボードが互いにスタックされた場合、前記燃料電池ボードの平らな表面に実質的に垂直に走る導管を形成できる孔を含むことを特徴とする請求項１０または請求項１１に記載の多層プリント回路基板。
【請求項１３】
前記反応物質分配層は、複数の反応物質分配チャネルを画定するフレームと、複数の燃料電池ボードが互いにスタックされた場合、前記燃料電池ボードの平らな表面に実質的に垂直に走る導管を形成できる孔を含むことを特徴とする請求項１０乃至請求項１２のいずれかに記載の多層プリント回路基板。
【請求項１４】
ａ）膜の第１面上の少なくとも２個の陽極と前記膜の第２面上の２個の陰極とを支持する実質的にガス不透過性の電解質膜からなる１枚の膜、あるいは
ｂ）それぞれが、膜の第１面上の１個の陽極と前記膜の第２面上の１個の陰極とを支持する実質的にガス不透過性の電解質膜からなる少なくとも２枚の膜
がプリント回路基板へ接合され、
前記膜の第１面上の１個の陽極と前記膜の第２面上の１個の陰極は、実質的に互いに反対に位置付けされて電極対を形成することを特徴とする請求項１０乃至請求項１３のいずれかに記載の多層プリント回路基板。
【請求項１５】
前記膜あるいは前記少なくとも２枚の膜は、各電極対の表面積が前記電流収集・分配層上の電気分配トラックのパネルおよび反応物質分配チャネルに対応するように、プリント回路基板に接合されることを特徴とする請求項１０乃至請求項１４のいずれかに記載の多層プリント回路基板。
【請求項１６】
反応物質は、前記燃料電池ボードのスタック化により形成されて前記燃料電池ボードの平らな表面に実質的に垂直に走る導管によって、前記電極に供給されることを特徴とする請求項１乃至請求項９のいずれかに記載の燃料電池。
【請求項１７】
前記導管は、燃料電池ボードの反応物質分配層上の反応物質分配チャネルに接続されることを特徴とする請求項１６に記載の燃料電池。
【請求項１８】
第１反応物質分配チャネルの第１端部に第１反応物質を提供するように働く第１導管と、前記第１反応物質分配チャネルの第２端部から前記反応物質を受け取るように働く第２導管と、第２反応物質分配チャネルの第１端部に第２反応物質を提供するように働く第３導管と、前記第２反応物質分配チャネルの第２端部から前記反応物質を受け取るように働く第４導管が燃料電池ボード上の各電極対に対して設けられていることを特徴とする請求項１６または請求項１７の燃料電池。
【請求項１９】
前記第１導管は、少なくとも２つの第１反応物質分配チャネルの第１端部に第１反応物質を提供し、記第２導管は、前記少なくとも２つの第１反応物質分配チャネルの第２端部から前記第１反応物質を受け取り、前記第３導管は、少なくとも２つの第２反応物質分配チャネルの第１端部に第２反応物質を提供し、前記第４導管は、前記少なくとも２つの第２反応物質分配チャネルの第２端部から前記第２反応物質を受け取ることを特徴とする請求項１８に記載の燃料電池。
【請求項２０】
各燃料電池ボードは、電子回路に接続されて電気を出力し、前記電子回路に接続された前記燃料電池ボードはそれぞれ、個々に切り替え可能であることを特徴とする請求項１乃至請求項９および請求項１６乃至請求項１９のいずれかに記載の燃料電池。
【請求項２１】
前記燃料電池ボードの各ボード上に少なくとも１つのスイッチを設けることにより、それぞれが個々に切り替え可能な、少なくとも２枚の燃料電池ボードを備えることを特徴とする燃料電池。
【請求項２２】
前記電極に隣接して触媒層が設けられることを特徴とする請求項１乃至請求項９および請求項１６乃至請求項１９のいずれかに記載の燃料電池。
【請求項２３】
前記触媒層は導電性であり、反応物質導管に隣接する外部層を有することを特徴とする請求項２２に記載の燃料電池。
【請求項２４】
ガス拡散層が、一方の側が反応物質導管に隣接し、他方の側が前記触媒層に隣接する外側層として設けられることを特徴とする請求項２２または請求項２３に記載の燃料電池。
【請求項２５】
前記ガス拡散層は、１つまたは複数の導電性または非導電性材料から構成されることを特徴とする請求項２４に記載の燃料電池。
【請求項２６】
陽極と陰極の並びは、各燃料電池ボードの各面上において、各陽極が、前記燃料電池ボードの端部の陽極を除いて、２個の陰極間に存在し、各陰極が、前記燃料電池ボードの端部の陰極を除いて、２個の陽極間に存在するように交替し、前記燃料電池の前記燃料電池ボードは、２枚の隣接する燃料電池ボードの陽極が実質的に互いに反対に存在し、２枚の隣接する燃料電池ボードの陰極が実質的に互いに反対に存在するようにスタック化されることを特徴とする請求項１乃至請求項９および請求項１６乃至請求項２５のいずれかに記載の燃料電池。
【請求項２７】
第１反応物質は、ある反応物質分配層上の単一の第１反応物質分配チャネルによって、隣接する第１および第２燃料電池ボード上の陽極対に供給され、第２反応物質は、前記反応物質分配層上の単一の第２反応物質分配チャネルによって、前記隣接する第１および第２燃料電池ボード上の陰極対に供給されることを特徴とする請求項２６に記載の燃料電池。
【請求項２８】
各燃料電池ボードの各面は、陽極だけまたは陰極だけを保持し、前記燃料電池の前記燃料電池ボードは、２枚の隣接する燃料電池ボードの陽極が実質的に互いに反対に存在し、２個の隣接する燃料電池ボードの陰極が実質的に互いに反対に存在するように配置されていることを特徴とする請求項１乃至請求項９および請求項１６乃至請求項２５のいずれかに記載の燃料電池。
【請求項２９】
１枚または複数枚の燃料電池ボードを選択的に切り替えるステップを備える、少なくとも２枚の燃料電池ボードを有する燃料電池の出力プロファイルの制御方法。
【請求項３０】
デューティサイクルに従って燃料電池ボードを切り替えるステップを備えることを特徴とする請求項２９に記載の方法。
【請求項３１】
プリント回路基板の個々の層を製造し機械加工するステップと、多層プリント回路基板へとこれらを互いに積層するステップと、少なくとも１個の陽極と少なくとも１個の陰極を支持する少なくとも１枚の膜を前記多層プリント回路基板に接合するステップと、を備えることを特徴とする燃料電池の組み立て方法。
【請求項３２】
前記多層プリント回路基板は、
ａ）第１電流収集・分配層と、反応物質分配層と、第２電流収集・分配層と、
ｂ）反応物質分配層で分離された第１および第２電流収集層または
ｃ）反応物質分配層で分離された第１および第２電流分配層と、を含むことを特徴とする請求項３１に記載の方法。
【請求項３３】
前記方法は、
ａ）少なくとも２個の陽極と少なくとも２個の陰極とを支持する１枚の膜、あるいは
ｂ）それぞれが１個の陽極と１個の陰極とを支持する少なくとも２枚の膜を、前記多層プリント回路基板に接合するステップを備えることを特徴とする請求項３１または請求項３２に記載の方法。
【請求項３４】
前記方法は、
ｃ）少なくとも３個の陽極と少なくとも３個の陰極とを支持する１枚の膜、あるいは
ｄ）それぞれが１個の陽極と１個の陰極とを支持する少なくとも３枚の膜を、前記多層プリント回路基板に接合するステップを備えることを特徴とする請求項３３に記載の方法。